【事件の表示】
　特願２０１５−１７３８８２号「遊技機」拒絶査定不服審判事件〔平成２８年　２月１８日出願公開、特開２０１６−　２６６０２号〕について、次のとおり審決する。
【結　論】
　本件審判の請求は、成り立たない。
【理　由】
第１　手続の経緯
　本願は、平成２４年７月５日に出願した特願２０１２−１５１７６５号の一部を平成２７年９月３日に新たな特許出願としたものであって、平成２８年８月５日付けで拒絶の理由が通知され、同年１０月１２日に意見書及び手続補正書が提出され、平成２９年１月２５日付けで拒絶の理由が通知され、同年３月２９日に意見書及び手続補正書が提出されたところ、同年７月６日付け（発送日：同年７月１１日）で拒絶査定がなされ、それに対して、同年１０月１１日に拒絶査定不服審判の請求がなされると同時に手続補正がなされたものである。
第２　平成２９年１０月１１日付けの手続補正についての補正の却下の決定
［補正の却下の決定の結論］
　平成２９年１０月１１日付けの手続補正（以下、「本件補正」という。）を却下する。
［理由］
１　補正の内容
　本件補正は、本件補正前の特許請求の範囲、すなわち平成２９年３月２９日になされた手続補正により補正された特許請求の範囲の請求項１の記載を、以下のとおり、補正後の特許請求の範囲の請求項１のものに補正する事項を含むものである（下線は補正箇所を示す。）。
（補正前）
「遊技を行うことが可能な遊技機であって、
　遊技の進行を制御する遊技制御手段と、
　演出を制御する演出制御手段を備え、
　ホール用操作を受け付けて前記ホール用操作に基づいて、消費電力を抑制するための節電モードを実行するか否かを設定可能であり、
　前記演出制御手段は、前記遊技制御手段からの情報に基づいて遊技者の不在条件が成立したかを判定可能であり、前記節電モードを実行するように設定されているときに、遊技者の不在条件が成立したとの判定に基づいて、消費電力が前記節電モードを実行しないように設定されているときの消費電力よりも抑制した消費電力となるように少なくとも一部の演出を制御することを特徴とする遊技機。」
（補正後）
「遊技を行うことが可能な遊技機であって、
　遊技の進行を制御する遊技制御手段と、
　演出を制御する演出制御手段を備え、
　ホール用操作を受け付けて前記ホール用操作に基づいて、消費電力を抑制するための節電モードを実行するか否かを設定可能であり、
　前記演出制御手段は、
　前記遊技制御手段からの情報に基づいて遊技者の不在条件が成立したかを判定可能であり、前記節電モードを実行するように設定されているときには、遊技者の不在条件が成立したとの判定に基づいて、消費電力が前記節電モードを実行しないように設定されているときの消費電力よりも抑制した消費電力となるように少なくとも一部の演出を制御
し、
　前記節電モードを実行しないように設定されているときには、遊技者の不在条件が成立したか否かに関わらず、消費電力を抑制した演出の制御を実行しない
２　補正の適否
　本件補正は、本件補正前の請求項１に記載された発明を特定するために必要な事項である「演出制御手段」について、「前記節電モードを実行しないように設定されているときには、遊技者の不在条件が成立したか否かに関わらず、消費電力を抑制した演出の制御を実行しない」との限定を付加するするものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そして、本件補正は、新規事項を追加するものではない。
　そこで、本件補正後の請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
（１）本願補正発明
　本願補正発明は、平成２９年１０月１１日付けの手続補正により補正された特許請求の範囲の請求項１に記載されたとおりのもの（上記「１」の「（補正後）」の記載を参照。）であり、分説し、A)ないしF)の符号を付与すると、以下のとおりである。
「A)　遊技を行うことが可能な遊技機であって、
B)　遊技の進行を制御する遊技制御手段と、
C)　演出を制御する演出制御手段を備え、
D)　ホール用操作を受け付けて前記ホール用操作に基づいて、消費電力を抑制するための節電モードを実行するか否かを設定可能であり、
E)　前記演出制御手段は、
　前記遊技制御手段からの情報に基づいて遊技者の不在条件が成立したかを判定可能であり、前記節電モードを実行するように設定されているときには、遊技者の不在条件が成立したとの判定に基づいて、消費電力が前記節電モードを実行しないように設定されているときの消費電力よりも抑制した消費電力となるように少なくとも一部の演出を制御し、
F)　前記節電モードを実行しないように設定されているときには、遊技者の不在条件が成立したか否かに関わらず、消費電力を抑制した演出の制御を実行しない
A)　ことを特徴とする遊技機。」
（２）引用文献とそれに記載された事項
ア　引用文献１の記載事項
　本願の出願前に頒布された特開２０００−２７１３２４号公報（以下、「引用文献１」という。）には、次の事項が記載されている（下線は当審において付加したものである。以下同様。）。
引１−ａ
「【０００８】本発明は、遊技者に対するサービス性を低下することなく、状況に応じた最適な電力制御を行うことができるパチンコ遊技機その制御方法およびパチンコ島の制御方法を提供することを目的としている。
【０００９】
【課題を解決するための手段】前記目的を達成するために、本発明に係るパチンコ遊技機は、電気装置を備えたパチンコ遊技機であって、前記パチンコ遊技機の遊技者を検出する遊技者検出手段と、この遊技者検出手段による検出状態に応じて、前記電気装置の電源を遮断又は低電力化する電源節約手段とを有し、前記遊技者検出手段は、前記パチンコ遊技機の前方所定の角度範囲の遊技者を検出可能に構成されていることを特徴とする。」
引１−ｂ
「【００１１】また、上述した電気装置とは、パチンコ遊技機に備えられたディスチャージランプと白熱ランプよりなる装飾ランプ、パチンコ遊技機に関する各種データを表示する液晶表示器等である。電気装置は、パルス状の電流を供給されて発光する装飾ランプを備え、前記電源節約手段が、装飾ランプに供給する電流のデューティ比を制御することにより、その装飾ランプの消費電力を低減させるものが好ましい。」
引１−ｃ
「【００２８】（１）第一実施形態
図１はパチンコ遊技機１１の外観を、図２は同遊技機の内部回路を示す。
【００２９】図において、
パチンコ遊技機１１
釘や入賞口、及び複数列の図柄を可変的に表示する可変表示装置２１等を備えた遊技盤２３と、遊技盤２３の遊技域２３ａに向けてパチンコ玉を発射するためのハンドル２５と、
上部受け皿２７と、
下部受け皿２９とを備え
【００３０】また、前記上部受け皿２７の左側には、プリペイドカード４１を挿入するためのプリペイドカード投入口４１が設けられているとともに、
上部受け皿２７の内側には、該上部受け皿２７内のパチンコ玉の有無を検出するパチンコ玉センサ４６が設けられ
【００３１】さらに、
パチンコ遊技機１１は、遊技盤２３の周囲に設けられた台間部用の装飾ランプ５１と、遊技盤２３の上方に設けられた欄間部用の装飾ランプ５３、
及び液晶表示器５９と、
スピーカ５７とを備え
【００３２】なお、
装飾ランプ５１、５３は、共に、多数のディスチャージランプ６１及び白熱ランプ６３（図２参照）を用いて構成され、
【００３３】そして、
遊技機１１の中央上部、呼出しランプ５５の下側には、遊技機１１の前方所定範囲の遊技者を検出するために、第１人間センサ４４が設けられ、
下部受け皿２９の前面には、第２人間センサ４５が設けられ、
【００３４】各人間センサ４４、４５の照射範囲は、第１人間センサ４４が遊技機１１に人が近づいた場合に検出がなされ、また第２人間センサ４５は遊技機１１の前面に設置される図示しない椅子に人が座った場合にこれを検出するものである。
【００３５】次に、
パチンコ遊技機１１には省電力制御ボックス６５が内蔵され、この省電力制御ボックス６５は、前記人間センサ４４、４５、およびパチンコ玉センサ４６の検出信号等に基づいて
省電力制御を実行する
【００３６】
省電力制御ボックス６５は、ＣＰＵ６５ａ、ＲＯＭ６５ｂ、ＲＡＭ６５ｃ、入力インタフェース（入力Ｉ／Ｆ）６５ｄ、及び出力インタフェース（出力Ｉ／Ｆ）６５ｅを、バスライン６５ｆを介して互いに接続してなるマイクロコンピュータを主要部としており、前記各センサ４４〜４６に入力インターフェース６５ｄを介して接続し、
引１−ｄ
「【００３８】なお、
パチンコ遊技機１１には、
可変表示装置２１の他、パチンコ玉の入賞を検出する入賞スイッチ６７、
入賞時にパチンコ玉を払い出す賞球装置６９、パチンコ玉の所定の入賞時に大入賞口等を開閉する役物ソレノイド（役物ＳＯＬ）７１、ハンドル２５の操作に応じてパチンコ玉を発射する発射装置７３等が設けられ、これらの各装置はＥＣＵ７５と信号の送受信を可能に接続され
ＥＣＵ７５は、ＣＰＵ７５ａ、ＲＯＭ７５ｂ、ＲＡＭ７５ｃを主要部とするマイクロコンピュータによって構成され
【００３９】
ＥＣＵ７５は、入賞スイッチ６７の検出信号に応じて賞球装置６９、可変表示装置２１、役物ソレノイド７１等を駆動して、所定の手順に従ってパチンコ遊技を進行する
ＥＣＵ７５は、この遊技の進行状況を表すイベントデータ（例えば、大当り信号等）を省電力制御ボックス６５の入力インタフェース６５ｄへ出力し
入力インタフェース６５ｄへは、このイベントデータの他、後述の種々の設定を行うための設定スイッチ７７からの信号、及びパチンコ玉センサ４６の検出信号が入力され
引１−ｅ
「【００４３】上記実施形態において、省電力制御ボックス６５が電源節約手段に、人間センサ４４，４５が遊技者検出手段に、パチンコ玉センサ４６が遊技者操作検出手段に相当し、
省電力制御ボックス６５は、それぞれのセンサの出力を受けて、
省電力制御を実行する。
【００４４】なお、この処理に先立って、
パチンコホールの管理者は、ディップスイッチなどの設定スイッチ７７によって以下の設定を行っておく。
【００４５】
【表１】
【００４６】
【表２】
【００４７】
【表３】
」
引１−ｆ
「【００５２】そこで、
表１のテーブルから、パチンコ遊技機１１において必要な省電力モードを選択しておく。
【００５３】
【表４】
」
引１−ｇ
【図１】
「
」
引１−ｈ
【図２】
「
」
イ　引用文献１の記載より認定できる事項
（ア）　引１−ｃに示した段落【００３２】の記載を参照すると、装飾ランプ５１、５３はディスチャージランプ６１及び白熱ランプ６３により構成され、また、引１−ｈに示した図２を参照すると、ディスチャージランプ６１、白熱ランプ６３及び液晶表示器５９は、出力インタフェース（出力Ｉ／Ｆ）６５ｅを介して省電力制御ボックス６５に接続されていることから、装飾ランプ５１、５３及び液晶表示器５９は、省電力制御ボックス６５に接続されていると認められる。
（イ）　引１−ｃに示した段落【００３６】の「前記各センサ４４〜４６に入力インターフェース６５ｄを介して接続し」の記載、及び、引１−ｈに示した図２を参照すると、第１人間センサ４４、第２人間センサ４５及びパチンコ玉センサ４６の検出信号は入力インタフェース６５ｄを介して省電力制御ボックス６５に入力されることが理解できる。
（ウ）　引１−ｅに示した段落【００４４】には「パチンコホールの管理者は、ディップスイッチなどの設定スイッチ７７によって以下の設定を行っておく。」と記載されていることから、設定スイッチ７７は、パチンコホールの管理者により設定されるものであることが理解でき、また、引１−ｆに示した段落【００５２】に「表１のテーブルから、パチンコ遊技機１１において必要な省電力モードを選択しておく。」と記載されていることから、設定スイッチ７７によって、表１に示された省電力モード１、２、３…のモードから、必要な省電力モードが選択される点が理解できる。
（エ）　引１−ｆに示した段落【００５２】の「パチンコ遊技機１１において必要な省電力モードを選択しておく。」との記載に基づき、必要な省電力モードとして１ないし３が選択された場合に、段落【００５３】の【表４】に示されるように、省電力モード１が、全電気量の使用電力が省電力モード解除時の８０％であり、省電力モード２が、同じく５０％、省電力モード３が、同じく３０％であることが理解できることから、(1)第１人間センサ４４が「遊技者検出」の検出信号を送り、第２人間センサ４５が「遊技者検出」の検出信号を送り、パチンコ玉センサ４６が「検出」の検出信号を送る場合に、省電力モードが解除され、(2)第１人間センサ４４が「遊技者検出」の検出信号を送り、第２人間センサ４５が「遊技者検出」の検出信号を送り、パチンコ玉センサ４６が「検出せず」の検出信号を送る場合に、省電力モード１が選択され、全電気量の使用電力が省電力モード解除時の８０％とされ、(3)第１人間センサ４４が「遊技者検出」の検出信号を送り、第２人間センサ４５が「遊技者検出せず」の検出信号を送り、パチンコ玉センサ４６が「検出せず」の検出信号を送る場合に、省電力モード２が選択され、全電気量の使用電力が省電力モード解除時の５０％とされ、(4)第１人間センサ４４が「遊技者検出せず」の検出信号を送り、第２人間センサ４５が「遊技者検出せず」の検出信号を送り、パチンコ玉センサ４６が「検出せず」の検出信号を送る場合に、省電力モード３が選択され、全電気量の使用電力が省電力モード解除時の３０％とされることが記載されていると認められる。
ウ　引用発明
　上記引１−ａないし引１−ｈに摘記した引用文献１の記載事項、及び、イ（ア）ないし（エ）において認定した事項を含む引用文献１全体の記載を総合すると、引用文献１には、
「a)　釘や入賞口、及び複数列の図柄を可変的に表示する可変表示装置２１等を備えた遊技盤２３と、遊技盤２３の遊技域２３ａに向けてパチンコ玉を発射するためのハンドル２５と、上部受け皿２７と、下部受け皿２９とを備えたパチンコ遊技機１１であり、上部受け皿２７の内側には、該上部受け皿２７内のパチンコ玉の有無を検出するパチンコ玉センサ４６が設けられ、パチンコ遊技機１１は、遊技盤２３の周囲に設けられた台間部用の装飾ランプ５１と、遊技盤２３の上方に設けられた欄間部用の装飾ランプ５３、及び液晶表示器５９と、スピーカ５７とを備え、遊技機１１の中央上部、呼出しランプ５５の下側には、遊技機１１の前方所定範囲の遊技者を検出するために、第１人間センサ４４が設けられ、下部受け皿２９の前面には、第２人間センサ４５が設けられ（【００２９】、【００３２】、【００３３】、図１）、
b)　パチンコ遊技機１１には、可変表示装置２１の他、パチンコ玉の入賞を検出する入賞スイッチ６７、入賞時にパチンコ玉を払い出す賞球装置６９、パチンコ玉の所定の入賞時に大入賞口等を開閉する役物ソレノイド（役物ＳＯＬ）７１、ハンドル２５の操作に応じてパチンコ玉を発射する発射装置７３等が設けられ、これらの各装置はＥＣＵ７５と信号の送受信を可能に接続され、ＥＣＵ７５は、ＣＰＵ７５ａ、ＲＯＭ７５ｂ、ＲＡＭ７５ｃを主要部とするマイクロコンピュータによって構成されており、ＥＣＵ７５は、入賞スイッチ６７の検出信号に応じて賞球装置６９、可変表示装置２１、役物ソレノイド７１等を駆動して、所定の手順に従ってパチンコ遊技を進行し（【００３８】、【００３９】）、
c-1)　パチンコ遊技機１１には省電力制御ボックス６５が内蔵され（【００３５】）、
c-2)　省電力制御ボックス６５は、ＣＰＵ６５ａ、ＲＯＭ６５ｂ、ＲＡＭ６５ｃ、入力インタフェース（入力Ｉ／Ｆ）６５ｄ、及び出力インタフェース（出力Ｉ／Ｆ）６５ｅを、バスライン６５ｆを介して互いに接続してなるマイクロコンピュータを主要部としており（【００３６】）、
c-3)　装飾ランプ５１、５３及び液晶表示器５９は、出力インタフェース（出力Ｉ／Ｆ）６５ｅを介して省電力制御ボックス６５に接続され（図２、イ（ア））、
c-4)　ＥＣＵ７５は、この遊技の進行状況を表すイベントデータ（例えば、大当り信号等）を省電力制御ボックス６５の入力インタフェース６５ｄへ出力し（【００３９】）、
c-5)　入力インタフェース６５ｄへは、種々の設定を行うための設定スイッチ７７からの信号、第１人間センサ４４、第２人間センサ４５及びパチンコ玉センサ４６の検出信号が入力され（【００３９】、イ（イ））、
d)　ディップスイッチなどの設定スイッチ７７は、パチンコホールの管理者により設定されるものであり、設定スイッチ７７によって必要な省電力モードが選択され（【００４３】、【００５２】、イ（ウ））、
e-1)　省電力制御ボックス６５は、第１人間センサ４４、第２人間センサ４５、およびパチンコ玉センサ４６の検出信号等に基づいて、省電力制御を実行するものであり（【００３５】）、
e-2)　(1)第１人間センサ４４が「遊技者検出」の検出信号を送り、第２人間センサ４５が「遊技者検出」の検出信号を送り、パチンコ玉センサ４６が「検出」の検出信号を送る場合に、省電力モードが解除され（【００５２】、【００５３】、イ（エ））、
e-3)　(2)第１人間センサ４４が「遊技者検出」の検出信号を送り、第２人間センサ４５が「遊技者検出」の検出信号を送り、パチンコ玉センサ４６が「検出せず」の検出信号を送る場合に、全電気量の使用電力が省電力モード解除時の８０％とされ、(3)第１人間センサ４４が「遊技者検出」の検出信号を送り、第２人間センサ４５が「遊技者検出せず」の検出信号を送り、パチンコ玉センサ４６が「検出せず」の検出信号を送る場合に、全電気量の使用電力が省電力モード解除時の５０％とされ、(4)第１人間センサ４４が「遊技者検出せず」の検出信号を送り、第２人間センサ４５が「遊技者検出せず」の検出信号を送り、パチンコ玉センサ４６が「検出せず」の検出信号を送る場合に、全電気量の使用電力が省電力モード解除時の３０％とされる（【００５２】、【００５３】、イ（エ））
a)　パチンコ遊技機１１。」
の発明（以下、「引用発明」という。）が記載されているものと認められる。
（３）本願補正発明と引用発明との対比
　本願補正発明と引用発明とを対比する。
ア　本願補正発明のA)の特定事項について
　引用発明の「a)　釘や入賞口、及び複数列の図柄を可変的に表示する可変表示装置２１等を備えた遊技盤２３と、遊技盤２３の遊技域２３ａに向けてパチンコ玉を発射するためのハンドル２５と、上部受け皿２７と、下部受け皿２９とを備えたパチンコ遊技機１１」は、遊技を行うことが可能であることは明らかであるので、本願補正発明の「遊技を行うことが可能な遊技機」に相当する。
イ　本願補正発明のB)の特定事項について
　引用発明のb)において「ＥＣＵ７５は、入賞スイッチ６７の検出信号に応じて賞球装置６９、可変表示装置２１、役物ソレノイド７１等を駆動して、所定の手順に従ってパチンコ遊技を進行」するものであるから、引用発明の「入賞スイッチ６７の検出信号に応じて賞球装置６９、可変表示装置２１、役物ソレノイド７１等を駆動して、所定の手順に従ってパチンコ遊技を進行」する「ＥＣＵ７５」は、本願補正発明の「遊技の進行を制御する遊技制御手段」に相当する。
ウ　本願補正発明のC)の特定事項について
　引用発明のc-3)において「装飾ランプ５１、５３」が何らかの演出に寄与することは、当業者にとって明らかである。そして、「c-3)　装飾ランプ５１、５３及び液晶表示器５９は、出力インタフェース（出力Ｉ／Ｆ）６５ｅを介して省電力制御ボックス６５に接続され」るものであり、「装飾ランプ５１、５３」の制御は、省電力制御ボックス６５により行われるものであるから、引用発明の「出力インタフェース（出力Ｉ／Ｆ）６５ｅを介して」「装飾ランプ５１、５３」が「接続され」た「省電力制御ボックス６５」は、本願補正発明の「演出を制御する演出制御手段」に相当する。
エ　本願補正発明のD)の特定事項について
（ア）　引用発明のd)の「パチンコホールの管理者」による「設定」は、本願補正発明の「ホール用操作」に相当し、「パチンコホールの管理者により設定される」のであれば、「パチンコホールの管理者」の操作を受け付けて設定可能であることは明らかであるから、引用発明と本願補正発明とは、「ホール用操作を受け付けて前記ホール用操作に基づいて、」「設定可能であ」る点で一致する。
（イ）　引用発明の「設定スイッチ７７によって必要な省電力モードが選択され」ることと、本願補正発明の「消費電力を抑制するための節電モードを実行するか否かを設定」することは、「消費電力を抑制するための節電モード」を設定する点で両者は一致する。
（ウ）　よって、引用発明と本願補正発明とは、「ホール用操作を受け付けて前記ホール用操作に基づいて、消費電力を抑制するための節電モードを」「設定可能であ」る点で共通する。
オ　本願補正発明のE)の特定事項について
（ア）　引用発明のe-1)における「第１人間センサ４４」及び「第２人間センサ４５」は、「遊技者を検出」するためのものであり、また、「パチンコ玉センサ４６」は「上部受け皿２７内のパチンコ玉の有無を検出する」ものであって、この「パチンコ玉の有無を検出する」ことが、遊技が行われているか否かを検出するためのものであることは、当業者にとって明らかである。
（イ）　引用発明のe-2)及びe-3)における、「(1)第１人間センサ４４が「遊技者検出」の検出信号を送り、第２人間センサ４５が「遊技者検出」の検出信号を送り、パチンコ玉センサ４６が「検出」の検出信号を送る場合」、「(2)第１人間センサ４４が「遊技者検出」の検出信号を送り、第２人間センサ４５が「遊技者検出」の検出信号を送り、パチンコ玉センサ４６が「検出せず」の検出信号を送る場合」、「(3)第１人間センサ４４が「遊技者検出」の検出信号を送り、第２人間センサ４５が「遊技者検出せず」の検出信号を送り、パチンコ玉センサ４６が「検出せず」の検出信号を送る場合」、及び、「(4)第１人間センサ４４が「遊技者検出せず」の検出信号を送り、第２人間センサ４５が「遊技者検出せず」の検出信号を送り、パチンコ玉センサ４６が「検出せず」の検出信号を送る場合」は、それぞれ、遊技者の有無及び遊技が行われているか否かに応じた「場合分け」である。
　したがって、引用発明の上記(1)ないし(4)のそれぞれの「場合」は、本願補正発明の「遊技者の不在条件」に相当する。
（ウ）　引用発明において、上記（イ）で示した上記(1)ないし(4)の「場合分け」は、「第１人間センサ４４、第２人間センサ４５、およびパチンコ玉センサ４６の検出信号に基づ」き、「省電力制御を実行する」ための条件を設定するためのものであり、その「場合分け」は、c-5)において、「入力インタフェース６５ｄ」に「第１人間センサ４４、第２人間センサ４５及びパチンコ玉センサ４６の検出信号が入力され」ることから、「省電力制御ボックス６５」で行われることは当業者にとって明らかである。
　よって、引用発明の「e-1)　省電力制御ボックス６５は、第１人間センサ４４、第２人間センサ４５、およびパチンコ玉センサ４６の検出信号に基づいて、省電力制御を実行する」ことと、本願補正発明の「前記演出制御手段は、」「遊技者の不在条件が成立したかを判定可能であり、」「判定に基づいて、」「少なくとも一部の演出を制御」することとは、演出制御手段は、遊技者の不在条件が成立したかを判定可能であり、判定に基づいて、少なくとも一部の演出を制御する点で一致する。
（エ）　引用発明のe-2)において、「省電力モード解除時」の「使用電力」は、本願補正発明の「節電モードを実行しないように設定されているときの消費電力」に相当する。
（オ）　引用発明のe-3)における(2)の「全電気量の使用電力が省電力モード解除時の８０％」、(3)の「全電気量の使用電力が省電力モード解除時の５０％」、及び、(4)の「全電気量の使用電力が省電力モード解除時の３０％」は、本願補正発明の「消費電力が前記節電モードを実行しないように設定されているときの消費電力よりも抑制した消費電力」に相当し、また、引用発明において、「省電力制御を実行する」ことは、本願補正発明の「節電モードを実行しないように設定されているときの消費電力よりも抑制した消費電力となるように少なくとも一部の演出を制御」することに相当する。
　そして、引用発明の上記（イ）で示した上記(2)ないし(4)のそれぞれの「場合」は、本願補正発明の「遊技者の不在条件が成立した」場合に相当する。
（カ）　以上のことから、引用発明の「e-1)　省電力制御ボックス６５は、第１人間センサ４４、第２人間センサ４５、およびパチンコ玉センサ４６の検出信号に基づいて、省電力制御を実行するものであり、e-2)　(1)第１人間センサ４４が「遊技者検出」の検出信号を送り、第２人間センサ４５が「遊技者検出」の検出信号を送り、パチンコ玉センサ４６が「検出」の検出信号を送る場合に、省電力モードが解除され、e-3)　(2)第１人間センサ４４が「遊技者検出」の検出信号を送り、第２人間センサ４５が「遊技者検出」の検出信号を送り、パチンコ玉センサ４６が「検出せず」の検出信号を送る場合に、全電気量の使用電力が省電力モード解除時の８０％とされ、(3)第１人間センサ４４が「遊技者検出」の検出信号を送り、第２人間センサ４５が「遊技者検出せず」の検出信号を送り、パチンコ玉センサ４６が「検出せず」の検出信号を送る場合に、全電気量の使用電力が省電力モード解除時の５０％とされ、(4)第１人間センサ４４が「遊技者検出せず」の検出信号を送り、第２人間センサ４５が「遊技者検出せず」の検出信号を送り、パチンコ玉センサ４６が「検出せず」の検出信号を送る場合に、全電気量の使用電力が省電力モード解除時の３０％とされる」点と、本願補正発明の「E)　前記演出制御手段は、前記遊技制御手段からの情報に基づいて遊技者の不在条件が成立したかを判定可能であり、前記節電モードを実行するように設定されているときには、遊技者の不在条件が成立したとの判定に基づいて、消費電力が前記節電モードを実行しないように設定されているときの消費電力よりも抑制した消費電力となるように少なくとも一部の演出を制御」する点とは、演出制御手段は、遊技者の不在条件が成立したかを判定可能であり、遊技者の不在条件が成立したとの判定に基づいて、消費電力が前記節電モードを実行しないときの消費電力よりも抑制した消費電力となるように少なくとも一部の演出を制御する点で共通する。
カ　本願補正発明のF)の特定事項について
　引用発明は、本願補正発明のF)の特定事項を有さない。
　以上のことから、本願補正発明と引用発明とは、以下の点で一致する。
＜一致点＞
「A)　遊技を行うことが可能な遊技機であって、
B)　遊技の進行を制御する遊技制御手段と、
C)　演出を制御する演出制御手段を備え、
D')　ホール用操作を受け付けて前記ホール用操作に基づいて、消費電力を抑制するための節電モードを設定可能であり、
E')　前記演出制御手段は、遊技者の不在条件が成立したとの判定に基づいて、消費電力が前記節電モードを実行しないときの消費電力よりも抑制した消費電力となるように少なくとも一部の演出を制御する
　遊技機。」
　そして、両者は、以下の点で相違する。
＜相違点１＞
　節電モードの設定に関して、本願補正発明は、消費電力を抑制するための節電モードを実行するか否かを設定可能とし、前記節電モードを実行しないように設定されているときには、遊技者の不在条件が成立したか否かに関わらず、消費電力を抑制した演出の制御を実行しないのに対して、引用発明は、節電モードを実行するか否かを設定可能であるかは不明である点。
＜相違点２＞
　遊技者の不在条件が成立したか否かの判定が、本願補正発明は、遊技制御手段からの情報に基づいて行われるのに対して、引用発明は、そのような構成とされていない点。
（４）当審の判断
ア　相違点についての検討
（ア）　相違点１について
　引用発明は、「パチンコホールの管理者」が、「ディップスイッチなどの設定スイッチ７７」により、必要な省電力モードを選択するものである。
　そして、ディップスイッチは、通常、複数のスイッチが並べられることにより、オン・オフを切り替えるものであるから、「パチンコホールの管理者」が、必要な省電力モードを選択するにあたって、「省電力モード」を実施する必要が無い場合に、「省電力モード」をいずれも選択しないようにディップスイッチを設定することは、当業者が適宜なし得る程度のことである。
　また、「省電力モード」が、いずれも選択されないのであれば、常に「省電力モード」が「解除」の状態となることから、本願補正発明の上記相違点１に係る構成である「節電モードを実行しないように設定されているときには、遊技者の不在条件が成立したか否かに関わらず、消費電力を抑制した演出の制御を実行しない」点は、自ずと導き出せるものである。
　よって、本願補正発明の上記相違点１に係る構成は、引用発明に基づいて当業者が容易に想到し得る程度のことにすぎず、それによってもたらされる作用効果も格別なものとはいえない。
（イ）　相違点２について
　遊技者の有無及び遊技が行われているか否かを判別するにあたって、遊技制御手段からの情報を用いることは、例えば、原査定の拒絶の理由に引用され、本願出願前に頒布された刊行物である特開２００３−３８８３３号公報（段落【００５１】等を参照。）、特開２００３−２０５０７７号公報（段落【００５８】、【００５９】等を参照。）、特開２００４−１４７９４４号公報（段落【０１０７】等を参照。）などに記載されているように、本願出願遡及日前において周知の事項である。
　したがって、引用発明において、第１人間センサ４４、第２人間センサ４５、およびパチンコ玉センサ４６の検出信号に基づいて、遊技者の有無及び遊技が行われているか否かを判別し、遊技者の不在条件が成立したか否かの判定を行うのに代えて、上記周知の事項を適用し、本願補正発明の上記相違点２に係る構成を成すことは、当業者が容易に想到し得る程度のことである。
イ　本願補正発明の奏する作用効果
　本願補正発明によってもたらされる効果は、引用文献１に記載された事項、及び、上記周知の事項から、当業者が予測し得る程度のものである。
（５）　小括
　
　よって、本願補正発明は、引用発明、及び、周知の事項に基づいて当業者が容易に発明をすることができたものであるから、特許法第２９条第２項の規定により特許出願の際独立して特許を受けることができないものである。
４　むすび
　以上のことから、本件補正は、特許法第１７条の２第６項で準用する同法第１２６条第７項の規定に違反するものである。
　したがって、本件補正は、特許法第１５９条第１項で読み替えて準用する特許法第５３条第１項の規定により却下されるべきものである。
第３　本願発明について
１　本願発明
　平成２９年１０月１１日付けの手続補正は、上記のとおり却下されたので、本願の請求項１に係る発明は、平成２９年３月２９日になされた手続補正により補正された特許請求の範囲の請求項１に記載されたとおりのもの（上記「第２」［理由］「１」の「（補正前）」の記載を参照）（以下「本願発明」という。）である。
２　原査定の拒絶の理由
　原査定の拒絶の理由は、この出願の請求項１に係る発明は、その出願前に日本国内又は外国において頒布された又は電気通信回線を通じて公衆に利用可能となった下記の引用文献１ないし４に記載された事項に基づいて、その出願前にその発明の属する技術の分野における通常の知識を有する者が容易に発明をすることができたものであるから、特許法第２９条第２項の規定により特許を受けることができない。
引用文献１：特開２０００−２７１３２４号公報
引用文献２：特開２００３−３８８３３号公報（周知技術を示す文献）
引用文献３：特開２００３−２０５０７７号公報（周知技術を示す文献）
引用文献４：特開２００４−１４７９４４号公報（周知技術を示す文献）
３　引用文献とそれに記載された事項
　原査定の拒絶の理由で引用された引用文献１及びその記載事項は、上記第２［理由］２（２）アないしエに記載したとおりである。
４　対比・判断
　本願発明は、前記第２の［理由］２で検討した本願補正発明から、「前記節電モードを実行しないように設定されているときには、遊技者の不在条件が成立したか否かに関わらず、消費電力を抑制した演出の制御を実行しない」との限定事項を削除したものである。
　そうすると、本願発明の発明特定事項を全て含み、さらに他の事項を付加したものに相当する本願補正発明が、前記第２の［理由］２（３）及び（４）に記載したとおり、引用発明及び周知の事項に基づいて、当業者が容易に発明をすることができたものであるから、本願発明も、引用発明及び周知の事項に基づいて、当業者が容易に発明をすることができたものである。
第４　むすび
　以上のとおりであるから、本願発明は、特許法第２９条第２項の規定により特許を受けることができないから、他の請求項に係る発明について検討するまでもなく、本願は拒絶されるべきものである。
　よって、結論のとおり審決する。